(57)【要約】  本発明の解決課題は、薄型で、調色が可能で、発光が均一な有機エレクトロルミネッセンス照明パネルを有する携帯情報機器を提供することである。  本発明の携帯情報機器は、有機エレクトロルミネッセンス照明パネルを有する携帯情報機器であって、該有機エレクトロルミネッセンス照明パネルが、前面透過性部材と一体となり、携帯情報機器の外装部材に取り込まれていることを特徴とする。
2014030509.tif 000002
【特許請求の範囲】
【請求項１】
有機エレクトロルミネッセンス照明パネルを有する携帯情報機器であって、該有機エレクトロルミネッセンス照明パネルが、前面透過性部材と一体となり、携帯情報機器の外装部材に取り込まれていることを特徴とする携帯情報機器。
【請求項２】
前記有機エレクトロルミネッセンス照明パネルが、調色可能であることを特徴とする請求項１に記載の携帯情報機器。
【請求項３】
前記有機エレクトロルミネッセンス照明パネルを撮影時の補助光として使用することを特徴とする請求項１又は２に記載の携帯情報機器。
【請求項４】
前記有機エレクトロルミネッセンス照明パネルをロゴマークの発光に使用することを特徴とする請求項１から３までのいずれか一項に記載の携帯情報機器。
【請求項５】
前記有機エレクトロルミネッセンス照明パネルを着信時のイルミネーションとして使用することを特徴とする請求項１から４までのいずれか一項に記載の携帯情報機器。
【請求項６】
前記携帯情報機器が、タブレット型情報端末、高機能携帯電話機又はデジタルカメラのいずれかであることを特徴とする請求項１から５までのいずれか一項に記載の携帯情報機器。
【発明の詳細な説明】
【技術分野】
【０００１】
本発明は携帯情報機器に関する。より詳しくは、薄型で、調色が可能で、発光が均一な有機エレクトロルミネッセンス照明パネルを有する携帯情報機器に関する。
【背景技術】
【０００２】
近年、携帯することが可能な情報機器（以下「携帯情報機器」という。）の普及が著しい。携帯情報機器は、モバイル化、ウエアラブル化に対する市場要求や利便性の追求などにより、高機能化と共に、胸ポケットや、鞄などに収納したときにも邪魔にならないような、薄型化、小型化及び軽量化などの技術革新が進展している。【０００３】
高機能化の一つとして携帯情報機器の例えば裏面側にロゴを発光させたり、あるいはフラッシュ発光等の補助光を備えた携帯情報機器の要望がある。【０００４】
携帯情報機器のロゴ発光や携帯電話、デジタルカメラの補助光にＬＥＤ（Ｌｉｇｈｔ  Ｅｍｉｔｔｉｎｇ  Ｄｉｏｄｅ：発光ダイオード）等を使用する例があるが（例えば、特許文献１〜３参照。）、基盤が大きいため、薄型化や小型化することが難しく、特に小型化が要求される携帯情報機器への適用が困難であった。また、発光の均一性も不十分で視認性に問題があった。さらにＬＥＤの駆動による発熱のため、筺体の変形を引き起こす場合があった。また、従来のＬＥＤ使用例は単色発光のみで、例えばロゴ発光に用いる場合はユーザーの要求を十分に満たすことができなかった。補助光としてエレクトロルミネッセンスを用いることが特許文献４に開示されているが、開示された技術は補助光の集光に関する技術であって、エレクトロルミネッセンスに関連した上記問題への言及はない。
【先行技術文献】
【特許文献】
【０００５】
【特許文献１】特開２００２−５６９９２号公報
【特許文献２】特開２００５−３４６０２７号公報
【特許文献３】特開２０１０−０５５０７３号公報
【特許文献４】米国特許出願公開第２０１１／００３２７１２号明細書
【発明の概要】
【発明が解決しようとする課題】
【０００６】
本発明は、上記問題・状況に鑑みてなされたものであり、その解決課題は、薄型で、調色が可能で、発光が均一な有機エレクトロルミネッセンス照明パネルを有する携帯情報機器を提供することである。
【課題を解決するための手段】
【０００７】
本発明者は、上記課題を解決すべく、上記問題の原因等について検討した結果、有機エレクトロルミネッセンス照明パネルが、前面透過性部材と一体となり、携帯情報機器の外装部材に取り込まれていることが、特に薄型化に有効であることを見出し本発明に至った。【０００８】
すなわち、本発明に係る上記課題は、以下の手段により解決される。【０００９】
１．有機エレクトロルミネッセンス照明パネルを有する携帯情報機器であって、該有機エレクトロルミネッセンス照明パネルが、前面透過性部材と一体となり、携帯情報機器の外装部材に取り込まれていることを特徴とする携帯情報機器。【００１０】
２．前記有機エレクトロルミネッセンス照明パネルが、調色可能であることを特徴とする前記第１項に記載の携帯情報機器。【００１１】
３．前記有機エレクトロルミネッセンス照明パネルを撮影時の補助光として使用することを特徴とする前記第１項又は第２項に記載の携帯情報機器。【００１２】
４．前記有機エレクトロルミネッセンス照明パネルをロゴマークの発光に使用することを特徴とする前記第１項から第３項までのいずれか一項に記載の携帯情報機器。【００１３】
５．前記有機エレクトロルミネッセンス照明パネルを着信時のイルミネーションとして使用することを特徴とする前記１項から第４項までのいずれか一項に記載の携帯情報機器。【００１４】
６．前記携帯情報機器が、タブレット型情報端末、高機能携帯電話機又はデジタルカメラのいずれかであることを特徴とする前記第１項から第５項までのいずれか一項に記載の携帯情報機器。
【発明の効果】
【００１５】
本発明の上記手段により、薄型で、調色が可能で、発光が均一な有機エレクトロルミネッセンス照明パネルを有する携帯情報機器を提供することができる。【００１６】
本願では、薄型の有機エレクトロルミネッセンス素子を有機エレクトロルミネッセンス照明パネルとして用いて、有機エレクトロルミネッセンス照明パネルと前面透過性部材を一体化させることで、外装への組み付けが容易となり、携帯端末に組み込むことによって、携帯情報機器が大きくなることなく適用させ、均一発光も可能となり上記課題を解決するに至った。
【図面の簡単な説明】
【００１７】
【図１】本発明に係る携帯情報機器の断面図の一例
【図２Ａ】スマートフォンへの適用の一例（表面）
【図２Ｂ】スマートフォンへの適用の一例（裏面）
【図３Ａ】タブレッと端末への適用の一例（表面）
【図３Ｂ】タブレッと端末への適用の一例（裏面）
【図４】有機エレクトロルミネッセンス照明パネルの構成の一例
【図５】タンデム型の有機エレクトロルミネッセンス照明パネルの構成の一例
【発明を実施するための形態】
【００１８】
本発明の携帯情報機器は、有機エレクトロルミネッセンス照明パネルを有する携帯情報機器であって、該有機エレクトロルミネッセンス照明パネルが、前面透過性部材と一体となり、携帯情報機器の外装部材に取り込まれていることを特徴とする。この特徴は、請求項１から請求項５までの請求項に係る発明に共通する技術的特徴である。
【００１９】
本発明の実施態様としては、前記有機エレクトロルミネッセンス照明パネルが、調色可能であることが好ましい。また、前記有機エレクトロルミネッセンス照明パネルを撮影時の補助光として使用することが、好ましい。
【００２０】
さらに、本発明においては前記有機エレクトロルミネッセンス照明パネルをロゴマークの発光に使用することや着信時のイルミネーションとして使用することも好ましい。
【００２１】
また、前記携帯情報機器が、タブレット型情報端末、高機能携帯電話機又はデジタルカメラのいずれかであることが、特に薄型を要求されるため好ましい。
【００２２】
以下、本発明とその構成要素、及び本発明を実施するための形態・態様について詳細な説明をする。なお、本願において、「〜」は、その前後に記載される数値を下限値及び上限値として含む意味で使用する。
【００２３】
《携帯情報機器》
本発明では、携帯情報機器とは、個人ユースで小型で携帯可能な情報機器をいい、例えば、ｉＰａｄ（登録商標）のようなタブレット型情報端末、ｉＰｈｏｎｅ（登録商標）のような情報通信機能を有する高機能携帯電話機、携帯型パーソナルコンピュータ、デジタルカメラ、ゲーム機及びＰＨＳなどが含まれる。
【００２４】
これらのうち、本発明では携帯情報機器が、タブレット型情報端末、高機能携帯電話機又はデジタルカメラであることが、特に薄型を要求されるため好ましい。
【００２５】
《有機エレクトロルミネッセンス照明パネルを有する携帯情報機器の概要》
本発明の携帯情報機器は、有機エレクトロルミネッセンス照明パネルを有する携帯情報機器であって、該有機エレクトロルミネッセンス照明パネルが、前面透過性部材と一体となり、携帯情報機器の外装部材に取り込まれていることを特徴とする。
【００２６】
従来、外装部材に透明な窓を設け、その裏面からＬＥＤで照明する方法が、ロゴ照明等で使用されてきた。特に携帯情報機器においては、防水、防塵のため、こういった透明窓により、内部を保護することが多い。
【００２７】
しかし、表示部を輝度ムラなく、均一に照明するには、ＬＥＤが点光源であるために、拡散面とＬＥＤとの距離をとる、導光板を設ける等の工夫が必要で、薄型化が難しい。有機エレクトロルミネッセンス照明パネルは、発光部自体が薄く、面光源であるため、機器の薄型化や、均一な照明に向いているが、単にＬＥＤを有機エレクトロルミネッセンス照明パネルに置き換えるだけでは、有機エレクトロルミネッセンス照明パネルが有機材料を含むために、基板上へのリフローができない、面光源であるために、相対的に実装面積が大きくなり、基板の大型化を招くといった問題があり、そのまま適用できない。本発明では有機エレクトロルミネッセンス照明パネルと前面透過性部材とを一体化して、一部品として扱い、外装基板にとり込むことで上記課題を解決できた。
【００２８】
以下、具体的に図を用いて有機エレクトロルミネッセンス照明パネルを有する携帯情報機器の概要を説明する。
【００２９】
図１は本発明に係る携帯情報機器の断面図の一例である。有機エレクトロルミネッセンス素子からなる有機エレクトロルミネッセンス照明パネル１と前面透過性部材２とが透明接着剤３を介して一体化され、外装部材４ａに両面テープ５を用いて取り込まれている。前面透過性部材２の有機エレクトロルミネッセンス照明パネル１とは反対側の表面には、拡散板６が設けられている。回路基板７は有機エレクトロルミネッセンス照明パネル１がとりつけられた外装部材４ａとは反対側（裏面）の外装部材４ｂ上にある。この回路基板７は、フレキシブル配線８、有機エレクトロルミネッセンス照明パネルコネクタ９及び回路基板側コネクタ１０を介して有機エレクトロルミネッセンス照明パネル１と接続している。
【００３０】
図２はスマートフォンへの適用の一例を示す模式図である。図２Ａはスマートフォンの表面を示している。さまざまな画像情報や、文字情報等を表示する表示画面２１とは別に、有機エレクトロルミネッセンス照明パネル１により、ロゴマーク又は商品名などを発光することができる発光部２３を有している。発光部２３は電話やメールの着信時のイルミネーションとして使用することもできる。図２Ｂはスマートフォンの裏面を示している。撮影用レンズ２２の上部に、フラッシュなどの補助光として有機エレクトロルミネッセンス照明により発光することができる発光部２４を設けることができる。発光部は、前面透過性部材と一体となり外装部材４に取り込まれた有機エレクトロルミネッセンス照明パネルの、外装部材の外側からみた発光部分である。
【００３１】
図３はタブレット端末への適用の一例である。図３Ａはタブレッと端末の表面を示している。表示画面２１とは別に有機エレクトロルミネッセンス照明パネル１により、ロゴマーク又は商品名などを発光することができる発光部２３を有している。図３Ｂはタブレッと端末の裏面を示している。有機エレクトロルミネッセンス照明パネル１により、ロゴマーク又は商品名などを発光することができる発光部２３を有している。
【００３２】
以下、さらに詳細に説明する。
【００３３】
《前面透過性部材と一体になった有機エレクトロルミネッセンス照明パネル》
本発明において有機エレクトロルミネッセンス照明パネルは、前面透過性部材と一体になっている。一体となっている構成には、少なくとも有機エレクトロルミネッセンス素子からなる有機エレクトロルミネッセンス照明パネル１、前面透過性部材２、透明接着剤３、フレキシブル配線８及び有機エレクトロルミネッセンス照明パネルコネクタ９が含まれる。必要に応じ両面テープ５及び拡散板６等を設けても良い。
【００３４】
前面透過性部材２は、光透過性を有するポリカーボネート樹脂やアクリル樹脂といった樹脂部材が使用され、外装カバーに固定される。固定する方法は例えば両面テープを用いることができる。
【００３５】
一般的に有機エレクトロルミネッセンス照明パネルでは、パネル面上に光取り出し機能を付与する、例えば、拡散性を付与したＰＥＴシートを貼りつけることで、取り出し効率、即ち発光効率を向上させる。上述のように、貼り合わせにより、光学的に有機エレクトロルミネッセンス照明パネルと前面透過性部材は一体化されていることから、前面透過性部材表面上に拡散性を付与することで、発光効率が向上する。
【００３６】
図１のように、拡散板６を貼りつける方法や、前面透過性部材表面上にシボ状の凹凸を形成し、拡散性を付与することもできる。特に後者の場合は、樹脂成型時に金型上に凹凸を形成すればよく、部品点数を増やすことなく、発光効率向上が可能である。なお、光取り出し部の位置は、前面透過性部材表面でなく、有機エレクトロルミネッセンス照明パネル表面上に設けても良い。
【００３７】
有機エレクトロルミネッセンス照明パネル１と、ポリカーボネート樹脂やアクリル樹脂からなる前面透過性部材２との接着に用いる透明接着剤３は、光透過性を有する接着剤を使用する。材料としては、アクリル系、シリコン系、ポリエーテル系等の接着剤があるが、光透過性を有し、接着後に前面透過性部材とパネル間に空気層を残さず、密着できればよい。これらの接着剤の屈折率は空気よりも大きく、１．５程度であるため、貼り合わせにより、有機エレクトロルミネッセンス照明パネルの発光光は、パネル表面で全反射することなく、透明部材に入射する。そのため、光学的には、有機エレクトロルミネッセンス照明パネルの厚さを増やすことと、ほぼ等価である。
【００３８】
グラフィックや文字を照明する場合には、前面透過性部材の裏面側（有機エレクトロルミネッセンス照明パネル側）にグラフィックパターンや文字パターンを印刷して不要部分を遮光することでそれぞれのパターンのみを照明することができる。また、パターンが複雑な形状でなければ、外装部材を各パターンに応じて切り抜き、これを有機エレクトロルミネッセンス照明パネルと組み合わせることでパターンを照明することもできる。パターンが白色の場合には、半透過性の印刷により、拡散面を形成することができる。さらに、色フィルターをパターンに重ねることで、全体の調色だけでなく、パターンの一部分の色を変えることもできる。
【００３９】
有機エレクトロルミネッセンス照明パネルからは、電流供給用や制御信号用のフレキシブル配線８が引き出されており、その先端のコネクタと、回路基板上のコネクタを接続することで、電流供給や有機エレクトロルミネッセンス照明パネルの発光が制御される。あるいは、コネクタピンを設け、外装カバーを締結後にコンタクトが確立する方法でも良い。
【００４０】
《有機エレクトロルミネッセンス照明パネル》
本発明に係る有機エレクトロルミネッセンス照明パネルは、有機エレクトロルミネッセンス素子からなり、有機エレクトロルミネッセンス照明パネルと前面透過性部材とが一体となり、携帯情報機器の外装部材に取り込まれている。有機エレクトロルミネッセンス照明パネルは、調色可能であることが好ましい。また、前記有機エレクトロルミネッセンス照明パネルを撮影時の補助光として使用することが好ましい。さらに有機エレクトロルミネッセンス照明パネルをロゴマークの発光に使用することが好ましい。また、着信時のイルミネーションとして使用することも好ましい。
【００４１】
〈発光部〉
前面透過性部材と一体となり外装部材４に取り込まれた有機エレクトロルミネッセンス照明の表面部分である発光部は、外装部材に複数あってもよい。有機エレクトロルミネッセンス照明パネルが複数ある場合、ロゴマークの発光や着信時のイルミネーションと撮影時の補助光をそれぞれ有することができる。あるいは、一つの有機エレクトロルミネッセンス照明パネルで、ロゴマークの発光や着信時のイルミネーションと補助光の発光を兼ねることもできる。この場合は、回路基板で、光量、発光色を制御することができる。
【００４２】
ロゴマークの発光や着信時のイルミネーションの場合の発光輝度は、５０〜８００ｃｄ／ｍ２、補助光としてフラッシュ発光させる場合は、５０００〜８００００ｃｄ／ｍ２の範囲内であることがそれぞれ好ましい。
【００４３】
また、ロゴマークの発光や着信時のイルミネーションの場合の光束は、０．０２４〜０．３８０ｌｍ、補助光としてフラッシュ発光させる場合は、２．５〜４０ｌｍの範囲内であることがそれぞれ好ましい。
【００４４】
フラッシュ発光させるときは、フラッシュ光は、演色性の観点から青色発光、緑色発光及び赤色発光を含む白色光であることが好ましい。
【００４５】
発光部の大きさは、表面又は裏面の面積の５０％以内であることが好ましい。好ましくは２〜３０％の範囲内である。有機エレクトロルミネッセンス照明パネルにおいては、発熱が少ないため、局所的に位置していても、また発光面積が小さくても、筐体等に歪みなどを発生させることがなく好ましい。
【００４６】
〈調色〉
本発明でいう調色可能とは、有機エレクトロルミネッセンス照明パネルを発光する際に、任意の色で発光させることが可能であり、光の三原色の他に、各種中間色で発光可能であることを意味する。上記条件を実現する有機エレクトロルミネッセンス照明パネルは、白色発光性を備えたパネルで、発光性化合物として、青色発光性化合物、緑色発光性化合物及び赤色発光性化合物を含有する発光層を有する有機エレクトロルミネッセンス照明パネルであることが好ましい。
【００４７】
有機エレクトロルミネッセンス照明パネルの調色を可能とするための具体的な手段は公知であり、それらを適用することができる。
【００４８】
例えば、
１）有機エレクトロルミネッセンス照明パネルが面方向に２次元配列された異なる発光色の画素を有し、それらの画素の発光条件をコントロールして、パネルの発光色を調色する方法、
２）２つ以上の異なる発光色の発光層を積層しておいて、電流や電圧の駆動を調整することによって発光中心を移動させて、発光色をコントロールする方法、
３）２つ以上の異なる発光色の発光層を積層しておいて、該発光層の中間に、エレクトロクロミック素子、フォトクロミック素子及びサーモクロミック素子を設けて調整し、発光色をコントロールする方法、
４）２つ以上の異なる発光色の発光層を有する発光ユニットを複数ユニット分積層しておいて、該発光ユニット間に中間電極を設け、該発光ユニットごとに駆動して、発光色をコントロールする方法、
５）光透過率の高い２以上の有機エレクトロルミネッセンス照明パネルを重ねて設置し、パネルごとに発光駆動を調整して発光色をコントロールする方法、
などが挙げられ、これらの方法を単独、あるいは適宜組み合わせることができる。
【００４９】
〈有機エレクトロルミネッセンス照明パネルの構成〉
有機エレクトロルミネッセンス照明パネルの主な構成は、支持基板上に対となる面電極（陽極、陰極）を有し、該面電極間に有機発光層を含む有機機能層を有してなり、有機機能層としては通常、陽極側から、正孔注入層、正孔輸送層、発光層、電子輸送層、電子注入層などがあるが、用いる材料の特性に応じて複合層として層数を減らしてもよいし、さらに新たな機能層を追加しても良い。有機エレクトロルミネッセンス照明パネルの構成については、「有機ＥＬハンドブック」（監修：筒井哲夫；リアライズ理工センター出版）などが参照される。
【００５０】
図４は、本発明に係る有機エレクトロルミネッセンス照明パネルの構成の一例を示す概略断面図である。
【００５１】
図４において、有機エレクトロルミネッセンス照明パネル４０は、光透過性を有するプラスチックフィルムやガラスで構成されている支持基板４１上に、例えば、陽極としてインジウム−スズの複合酸化物（以下、ＩＴＯと略記。）からなる透明電極４２が設けられ、その上に有機機能層ユニットＣが形成されている。有機機能層ユニットＣは、有機発光層４４の他に、例えば、正孔輸送層、正孔阻止層、電子輸送層等の有機機能層４３、４５から構成されている。この有機機能層ユニットＣ上に、例えば、陰極としてアルミニウムなどの電極４６が設けられ、最後に最表層として封止部材（封止層）４７が設けられている。
【００５２】
図５は、発光層が複数積層された、タンデム型の有機エレクトロルミネッセンス照明パネルの構成の一例を示す概略断面図である。図５に示した有機エレクトロルミネッセンス照明パネル５０は発光層が積層されている。図４における発光層４４とは、青色発光性化合物を含有する青色発光層５４ａ、緑色発光性化合物を含有する緑色発光層５４ｂ、及び赤色発光性化合物を有する赤色発光層５４ｃの３層からなることが異なっている。発光層間に中間層を設けることもできる。また発光層間に中間電極を設けることは、調色を容易にすることから好ましい態様である。
【００５３】
なお、図４及び図５で示した有機エレクトロルミネッセンス照明パネルの層構造は単に好ましい具体例を示したものであり、本発明はこれらに限定されない。例えば、本発明に係る有機エレクトロルミネッセンス照明パネルの構成としては、下記（ｉ）〜（ｖ）の層構造を有していてもよい。また下記の発光層はそれぞれ図５に説明したように、青色発光層、緑色発光層及び赤色発光層からなるものが好ましい。
【００５４】
（ｉ）支持基板／陽極／発光層／電子輸送層／陰極／封止用接着剤／封止部材
（ii）支持基板／陽極／正孔輸送層／発光層／電子輸送層／陰極／封止用接着剤／封止部材
（iii）支持基板／陽極／正孔輸送層／発光層／正孔阻止層／電子輸送層／陰極／封止用接着剤／封止部材
（iv）支持基板／陽極／正孔輸送層／発光層／正孔阻止層／電子輸送層／陰極バッファー層／陰極／封止用接着剤／封止部材
（ｖ）支持基板／陽極／陽極バッファー層／正孔輸送層／発光層／正孔阻止層／電子輸送層／陰極バッファー層／陰極／封止用接着剤／封止部材
〔有機エレクトロルミネッセンス照明パネルの構成〕
次いで、本発明に係る有機エレクトロルミネッセンス照明パネルの各構成部材について説明する。
【００５５】
（１）注入層：正孔注入層、電子注入層
本発明に係る有機エレクトロルミネッセンス照明パネルにおいては、注入層は必要に応じて設けることができる。注入層としては電子注入層（陰極バッファー層ともいう。）と正孔注入層（陽極バッファー層ともいう。）があり、上記の如く陽極と発光層又は正孔輸送層の間、及び陰極と発光層又は電子輸送層との間に存在させてもよい。
【００５６】
本発明でいう注入層とは、駆動電圧低下や発光輝度向上のために電極と有機機能層間に設けられる層で、「有機ＥＬ素子とその工業化最前線（１９９８年１１月３０日エヌ・ティー・エス社発行）」の第２編第２章「電極材料」（１２３〜１６６頁）にその詳細が記載されており、正孔注入層と電子注入層とがある。
【００５７】
正孔注入層としては、例えば、特開平９−４５４７９号公報、同９−２６００６２号公報、同８−２８８０６９号公報等にもその詳細が記載されており、正孔注入層に適用可能な正孔注入材料としては、トリアゾール誘導体、オキサジアゾール誘導体、イミダゾール誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体等を含むポリマーやアニリン系共重合体、ポリアリールアルカン誘導体、又は導電性ポリマーが挙げられ、好ましくはポリチオフェン誘導体、ポリアニリン誘導体、ポリピロール誘導体であり、さらに好ましくはポリチオフェン誘導体である。
【００５８】
本発明に係る有機エレクトロルミネッセンス照明パネルにおいては、電子注入層は、設けても、あるいは設けなくても、いずれであっても構わない。本発明で適用可能な電子注入層としては、例えば、特開平６−３２５８７１号公報、同９−１７５７４号公報、同１０−７４５８６号公報等にその詳細が記載されており、具体的には、ストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウムに代表される酸化物バッファー層等が挙げられる。本発明においては、上記バッファー層（注入層）はごく薄い膜であることが望ましく、フッ化カリウム、フッ化ナトリウムが好ましい。その膜厚は０．１ｎｍ〜５μｍ程度、好ましくは０．１〜１００ｎｍ、さらに好ましくは０．５〜１０ｎｍ、最も好ましくは０．５〜４ｎｍの範囲内である。
【００５９】
（２）正孔輸送層
本発明に係る正孔輸送層を構成する正孔輸送材料としては、上記正孔注入層で適用するのと同様の化合物を使用することができるが、さらには、ポルフィリン化合物、芳香族第３級アミン化合物及びスチリルアミン化合物、特に芳香族第３級アミン化合物を用いることが好ましい。
【００６０】
本発明において、正孔輸送層は、湿式塗布法（例えば、スピンコート法、キャスト法、インクジェット法を含む印刷法等）を用いて、塗布、乾燥することにより形成することができる。また、その他の正孔輸送層の形成方法としては、上記正孔輸送材料を、例えば、真空蒸着法、ラングミュア−ブロジェット法（ＬＢ法）等の公知の方法により、薄膜化することにより形成することができる。
【００６１】
（３）電子輸送層
本発明に係る電子輸送層は、電子を輸送する機能を有する材料からなり、広い意味で電子注入層、正孔ブロック層も電子輸送層に含まれる。電子輸送層は単層で用いてもよいし、複数層設けることもできる。例えば、正孔ブロック層／電子輸送層の組み合わせとして用いることができる。
【００６２】
電子輸送層は、単層、あるいは複数層とする場合は、発光層に対して陰極側に隣接する電子輸送層に用いられる電子輸送材料（正孔ブロック材料を兼ねる）としては、陰極より注入された電子を発光層に伝達する機能を有していればよく、その材料としては従来公知の化合物の中から任意のものを選択して用いることができ、例えば、フルオレン誘導体、カルバゾール誘導体、アザカルバゾール誘導体、オキサジアゾール誘導体、トリアゾール誘導体、シロール誘導体、ピリジン誘導体、ピリミジン誘導体、８−キノリノール誘導体等の金属錯体等が挙げられる。
【００６３】
（４）発光層
本発明に係る有機エレクトロルミネッセンス照明パネルを構成する発光層は、電極又は電子輸送層及び正孔輸送層から注入されてくる電子及び正孔が再結合して発光する層であり、発光する部分は発光層の層内であっても発光層と隣接層との界面であってもよい。
【００６４】
発光層は、主にドーパントとホスト化合物とが含有されて構成されている。本発明に係る発光層を形成する材料は、低分子量有機化合物であることが好ましい。低分子量化合物とは、分子量が１５００以下の化合物である。
【００６５】
以下、ホスト化合物及びドーパントについてそれぞれ説明する。
【００６６】
〈４．１〉ホスト化合物
本発明に係る有機エレクトロルミネッセンス照明パネルの発光層に含有されるホスト化合物としては、室温（２５℃）におけるリン光発光のリン光量子収率が０．１未満の化合物が好ましい。さらに好ましくはリン光量子収率が０．０１未満である。また、非発光性有機材料にはホスト化合物を含んでいてもよい。
【００６７】
公知のホスト化合物と、後述する発光材料とを、複数種用いることにより異なる発光色を得ることが可能となり、これらを混合することにより、任意の発光色、例えば、白色発光等を表現することができる。
【００６８】
公知のホスト化合物の具体例としては、以下の文献に記載されている化合物が挙げられる。例えば、特開２００１−２５７０７６号公報、同２００２−３０８８５５号公報、同２００１−３１３１７９号公報、同２００２−３１９４９１号公報、同２００１−３５７９７７号公報、同２００２−３３４７８６号公報、同２００２−８８６０号公報、同２００２−３３４７８７号公報、同２００２−１５８７１号公報、同２００２−３３４７８８号公報、同２００２−４３０５６号公報、同２００２−３３４７８９号公報、同２００２−７５６４５号公報、同２００２−３３８５７９号公報、同２００２−１０５４４５号公報、同２００２−３４３５６８号公報、同２００２−１４１１７３号公報、同２００２−３５２９５７号公報、同２００２−２０３６８３号公報、同２００２−３６３２２７号公報、同２００２−２３１４５３号公報、同２００３−３１６５号公報、同２００２−２３４８８８号公報、同２００３−２７０４８号公報、同２００２−２５５９３４号公報、同２００２−２６０８６１号公報、同２００２−２８０１８３号公報、同２００２−２９９０６０号公報、同２００２−３０２５１６号公報、同２００２−３０５０８３号公報、同２００２−３０５０８４号公報、同２００２−３０８８３７号公報等が挙げられる。
【００６９】
〈４．２〉発光材料
本発明に係る発光材料としては、蛍光性発光材料、リン光発光材料（リン光性ドーパントともいう。）を用いることができるが、リン光性ドーパントであることが好ましい。
【００７０】
リン光発光材料は、有機エレクトロルミネッセンス照明パネルの発光層に使用される公知のものの中から適宜選択して用いることができるが、好ましくは元素の周期表で８〜１０族の金属を含有する錯体系化合物であり、さらに好ましくはイリジウム化合物、オスミウム化合物、又は白金化合物（白金錯体系化合物）、希土類錯体であり、中でも最も好ましいのはイリジウム化合物である。
【００７１】
（５）陽極
有機エレクトロルミネッセンス素子における陽極としては、仕事関数の大きい（４ｅＶ以上）金属、合金、電気伝導性化合物及びこれらの混合物を電極物質とするものが好ましく用いられる。このような電極物質の具体例としては、Ａｕ等の金属、ＣｕＩ、インジウムチンオキシド（ＩＴＯ）、ＳｎＯ２、ＺｎＯ等の導電性透明材料が挙げられる。
【００７２】
また、ＩＤＩＸＯ（Ｉｎ２Ｏ３−ＺｎＯ）等非晶質で透明導電膜を作製可能な材料を用いてもよい。陽極はこれらの電極物質を蒸着やスパッタリング等の方法により薄膜を形成させ、フォトリソグラフィー法で所望の形状のパターンを形成してもよく、あるいはパターン精度を余り必要としない場合は（１００μｍ以上程度）、上記電極物質の蒸着やスパッタリング時に所望の形状のマスクを介してパターンを形成してもよい。
【００７３】
あるいは、有機導電性化合物のように塗布可能な物質を用いる場合には、印刷方式、コーティング方式等湿式成膜法を用いることもできる。この陽極より発光を取り出す場合には、透過率を１０％より大きくすることが望ましく、また陽極としてのシート抵抗は数百Ω／□以下が好ましい。さらに膜厚は材料にもよるが、通常１０〜１０００ｎｍ、好ましくは１０〜２００ｎｍの範囲で選ばれる。
【００７４】
（６）陰極
一方、陰極としては仕事関数の小さい（４ｅＶ以下）金属（電子注入性金属と称する。）、合金、電気伝導性化合物及びこれらの混合物を電極物質とするものが用いられる。
【００７５】
このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。
【００７６】
これらの中で、電子注入性及び酸化等に対する耐久性の点から、電子注入性金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物、アルミニウム等が好適である。
【００７７】
陰極はこれらの電極物質を蒸着やスパッタリング等の方法により薄膜を形成させることにより、作製することができる。また、陰極としてのシート抵抗は数百Ω／□以下が好ましく、膜厚は通常１０ｎｍ〜５μｍ、好ましくは５０〜２００ｎｍの範囲で選ばれる。
【００７８】
なお、発光した光を透過させるため、有機エレクトロルミネッセンス素子の陽極又は陰極のいずれか一方が透明又は半透明であればよいが、有機エレクトロルミネッセンス照明パネルの裏面に光が漏れることがない方が好ましい。
【００７９】
（７）支持基板
本発明の有機エレクトロルミネッセンス素子に用いることのできる支持基板（以下、基体、基板、基材、支持体等ともいう）としては、ガラス、プラスチック等の種類には特に限定はないが、支持基板側から光を取り出す方が、支持基板を透明材料とすることで、容易に行えるので、支持基板は透明であることが好ましい。
【００８０】
好ましく用いられる透明な支持基板としては、ガラス、石英、透明樹脂フィルムを挙げることができる。特に好ましい支持基板は、有機エレクトロルミネッセンス素子にフレキシブル性を与えることが可能な樹脂フィルムである。
【００８１】
樹脂フィルムとしては、例えば、ポリエチレンテレフタレート（ＰＥＴ）、ポリエチレンナフタレート（ＰＥＮ）等のポリエステル、ポリエチレン、ポリプロピレン、セロファン、セルロースジアセテート、セルローストリアセテート（ＴＡＣ）、セルロースアセテートブチレート、セルロースアセテートプロピオネート（ＣＡＰ）、セルロースアセテートフタレート、セルロースナイトレート等のセルロースエステル類又はそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン（ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリルあるいはポリアリレート類、アートン（商品名ＪＳＲ社製）あるいはアペル（商品名三井化学社製）といったシクロオレフィン系樹脂等を挙げられる。
【産業上の利用可能性】
【００８２】
本発明の携帯情報機器は、薄型で、調色が可能で、発光が均一な有機エレクトロルミネッセンス照明パネルを有する携帯情報機器であり、タブレット型情報端末、高機能携帯電話機又はデジタルカメラ等に好適に使用できる。
【符号の説明】
【００８３】
１  有機エレクトロルミネッセンス照明パネル
２  前面透過性部材
３  透明接着剤
４、４ａ、４ｂ  外装部材
５  両面テープ
６  拡散板
７  回路基板
８  フレキシブル配線
９  有機エレクトロルミネッセンス照明パネルコネクタ
１０  回路基板側コネクタ
２１  表示画面
２２  撮影用レンズ
２３  発光部（ロゴマーク又は着信時のイルミネーション）
２４  発光部（補助光）
４０、５０  有機エレクトロルミネッセンス照明パネル
４１、５１  支持基板
４２、５２  透明電極（陽極）
４３、４５、５３、５５  有機機能層
４４  有機発光層
５４ａ  青色発光層
５４ｂ  青色発光層
５４ｃ  青色発光層
４６、５６  電極
４７、５７  封止部材
Ｃ  有機機能層ユニット
【図１】
2014030509.tif 000003
【図２Ａ】
2014030509.tif 000004
【図２Ｂ】
2014030509.tif 000005
【図３Ａ】
2014030509.tif 000006
【図３Ｂ】
2014030509.tif 000007
【図４】
2014030509.tif 000008
【図５】
2014030509.tif 000009
【国際調査報告】
2014030509.tif 000010
2014030509.tif 000011
2014030509.tif 000012
2014030509.tif 000013